(57)【要約】【課題】画像形成動作中に、パンチごみが満タンであることが原因でその画像形成動作が中断されることをできるだけ回避する。【解決手段】画像形成部と、パンチ処理部とを備える。また、パンチ処理の回数を計数し、この計数したパンチ処理回数の積算値とあらかじめ決められた所定値との関係に基づいて、パンチ処理部で処理したパンチごみを捨てるよう報知するパンチごみ制御部を備える。パンチごみ制御部は、所定値に下限補正値および上限補正値を設定し、画像形成動作が停止または終了したとき、パンチ処理回数の積算値が、所定値から下限補正値を減算した値以上であれば、パンチごみ制御部がパンチごみ捨てを報知する。画像形成動作中はジョブの区切りが発生しない限り、パンチごみ制御部は、パンチ処理回数の積算値が所定値に達しても、所定値に上限補正値を加算した値を上回るまで、画像形成動作を停止させない。【選択図】図５
2009292587.tif 000002
【特許請求の範囲】
【請求項１】
画像形成部と、パンチ処理部とを備えた画像形成装置において、
パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、
前記パンチごみ制御部は、前記所定値に下限補正値および上限補正値を設定し、
画像形成動作が停止または終了したとき、前記パンチ処理回数の積算値が、前記所定値から前記下限補正値を減算した値以上であれば、前記パンチごみ制御部が前記パンチごみ捨てを報知することを特徴とする画像形成装置。
【請求項２】
画像形成動作中はジョブの区切りが発生しない限り、前記パンチごみ制御部は、前記パンチ処理回数の積算値が前記所定値に達しても、前記所定値に前記上限補正値を加算した値を上回るまで、画像形成動作を停止させないことを特徴とする請求項１記載の画像形成装置。
【請求項３】
画像形成動作中にジョブの区切りが発生したとき、前記パンチ処理回数の積算値が、前記所定値から前記下限補正値を減算した値以上であれば、前記パンチごみ制御部は、画像形成動作を停止させるとともに、前記パンチごみ捨てを報知することを特徴とする請求項１または請求項２記載の画像形成装置。
【請求項４】
画像形成動作中にジョブの区切りが発生する前に、前記パンチ処理回数の積算値が、前記所定値に前記上限補正値を加算した値を上回ったとき、前記パンチごみ制御部は、画像形成動作を停止させるとともに、前記パンチごみ捨てを報知することを特徴とする請求項１〜３のいずれか１項記載の画像形成装置。
【請求項５】
画像形成部と、パンチ処理部とを備えた画像形成装置において、
パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、
前記パンチごみ制御部は、前記所定値に少なくとも下限補正値を設定し、
画像形成動作が停止または終了したとき、前記パンチ処理回数の積算値が、前記所定値から前記下限補正値を減算した値以上であれば、前記パンチごみ制御部が前記パンチごみ捨てを報知することを特徴とする画像形成装置。
【請求項６】
画像形成動作中にジョブの区切りが発生したとき、前記パンチ処理回数の積算値が、前記所定値から前記下限補正値を減算した値以上であれば、前記パンチごみ制御部は、画像形成動作を停止させるとともに、前記パンチごみ捨てを報知することを特徴とする請求項５記載の画像形成装置。
【請求項７】
画像形成部と、パンチ処理部とを備えた画像形成装置において、
パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、
前記パンチごみ制御部は、前記所定値に少なくとも上限補正値を設定し、
画像形成動作中はジョブの区切りが発生しない限り、前記パンチごみ制御部は、前記パンチ処理回数の積算値が前記所定値に達しても、前記所定値に前記上限補正値を加算した値を上回るまで、画像形成動作を停止させないことを特徴とする画像形成装置。
【請求項８】
画像形成動作中にジョブの区切りが発生する前に、前記パンチ処理回数の積算値が、前記所定値に前記上限補正値を加算した値を上回ったとき、前記パンチごみ制御部は、画像形成動作を停止させるとともに、前記パンチごみ捨てを報知することを特徴とする請求項７記載の画像形成装置。
【請求項９】
前記パンチ処理回数の積算値に用いるパンチ処理の回数は、パンチの回数に、用紙の厚さなど用紙の種類に応じた係数を乗じて設定されることを特徴とする請求項１〜８のいずれか１項記載の画像形成装置。
【請求項１０】
前記下限補正値および前記上限補正値は、互いに同等の値または任意に相違する値に設定可能であることを特徴とする請求項１〜４のいずれか１項記載の画像形成装置。
【請求項１１】
前記パンチ処理部に設けたパンチごみ収容部内のパンチごみを捨てるよう促すメッセージを表示可能な表示部をさらに備え、前記パンチごみ制御部は、前記メッセージを前記表示部に表示することで前記パンチごみ捨てを報知することを特徴とする請求項１〜１０のいずれか１項記載の画像形成装置。
【発明の詳細な説明】
【技術分野】
【０００１】
この発明は、画像形成後の用紙にパンチ処理を行うパンチ処理部を備えた画像形成装置に関するものである。
【背景技術】
【０００２】
一般に、プリンタ等の画像形成装置には、画像形成後の用紙にパンチ処理を行うパンチ処理部を備えた画像形成装置がある。
【０００３】
従来のこの種の画像形成装置には、パンチ回数の積算値があらかじめ決められた一定値に達したら、画像形成動作を停止させるとともに、パンチごみを捨てるよう促すメッセージ等を表示して、報知するものがある。
【特許文献１】特開平１０−２０３７１９号公報
【発明の開示】
【発明が解決しようとする課題】
【０００４】
しかしながら、このような従来の画像形成装置において、パンチ回数の積算値があらかじめ決められた一定値に達したとき、パンチごみを捨てるよう促す報知については、つぎのような問題がある。
【０００５】
すなわち、例えば、所要枚数の画像形成（印刷）動作中に、紙ジャムその他の消耗品エラーが発生して画像形成（印刷）動作が停止したとき、仮にパンチごみが満タンに近い状態であっても、パンチ回数の積算値があらかじめ決められた一定値に達していない限り、パンチごみを捨てるよう促すメッセージは報知されない。
【０００６】
そのため、ユーザは、用紙交換その他のエラー復帰作業を行って画像形成（印刷）動作を再開するが、この場合は再開後すぐに、パンチごみが満タンになって画像形成（印刷）動作が停止してしまう。
【０００７】
また、例えば、所要枚数の画像形成（印刷）動作が終了間際になり、あと少しで終了するというときであっても、パンチ回数の積算値があらかじめ決められた一定値に達すれば、画像形成（印刷）動作が停止して、パンチごみを捨てるよう促すメッセージが報知される。
【０００８】
そのため、ユーザは、所要枚数の画像形成（印刷）動作があと少しで終了することが分かっていても、パンチごみを捨てなれけば、その画像形成（印刷）動作を終了させることができない。
【０００９】
この発明は、上記課題を解決するために為されたものであり、画像形成（印刷）動作中に、パンチごみが満タンであることが原因でその画像形成（印刷）動作が中断されることをできるだけ回避することのできる画像形成装置を提供することを目的とする。
【課題を解決するための手段】
【００１０】
請求項１に係る発明の画像形成装置は、画像形成部と、パンチ処理部とを備えた画像形成装置において、パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、前記パンチごみ制御部は、前記所定値に下限補正値および上限補正値を設定し、画像形成動作が停止または終了したとき、前記パンチ処理回数の積算値が、前記所定値から前記下限補正値を減算した値以上であれば、前記パンチごみ制御部が前記パンチごみ捨てを報知することを特徴とする。
【００１１】
請求項２に係る発明の画像形成装置は、請求項１記載の画像形成装置において、画像形成動作中はジョブの区切りが発生しない限り、前記パンチごみ制御部は、前記パンチ処理回数の積算値が前記所定値に達しても、前記所定値に前記上限補正値を加算した値を上回るまで、画像形成動作を停止させないことを特徴とする。
【００１２】
請求項３に係る発明の画像形成装置は、請求項１または請求項２記載の画像形成装置において、画像形成動作中にジョブの区切りが発生したとき、前記パンチ処理回数の積算値が、前記所定値から前記下限補正値を減算した値以上であれば、前記パンチごみ制御部は、画像形成動作を停止させるとともに、前記パンチごみ捨てを報知することを特徴とする。
【００１３】
請求項４に係る発明の画像形成装置は、請求項１〜３のいずれか１項記載の画像形成装置において、画像形成動作中にジョブの区切りが発生する前に、前記パンチ処理回数の積算値が、前記所定値に前記上限補正値を加算した値を上回ったとき、前記パンチごみ制御部は、画像形成動作を停止させるとともに、前記パンチごみ捨てを報知することを特徴とする。
【００１４】
請求項５に係る発明の画像形成装置は、画像形成部と、パンチ処理部とを備えた画像形成装置において、パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、前記パンチごみ制御部は、前記所定値に少なくとも下限補正値を設定し、画像形成動作が停止または終了したとき、前記パンチ処理回数の積算値が、前記所定値から前記下限補正値を減算した値以上であれば、前記パンチごみ制御部が前記パンチごみ捨てを報知することを特徴とする。
【００１５】
請求項６に係る発明の画像形成装置は、請求項５記載の画像形成装置において、画像形成動作中にジョブの区切りが発生したとき、前記パンチ処理回数の積算値が、前記所定値から前記下限補正値を減算した値以上であれば、前記パンチごみ制御部は、画像形成動作を停止させるとともに、前記パンチごみ捨てを報知することを特徴とする。
【００１６】
請求項７に係る発明の画像形成装置は、画像形成部と、パンチ処理部とを備えた画像形成装置において、パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、前記パンチごみ制御部は、前記所定値に少なくとも上限補正値を設定し、画像形成動作中はジョブの区切りが発生しない限り、前記パンチごみ制御部は、前記パンチ処理回数の積算値が前記所定値に達しても、前記所定値に前記上限補正値を加算した値を上回るまで、画像形成動作を停止させないことを特徴とする。
【００１７】
請求項８に係る発明の画像形成装置は、請求項７記載の画像形成装置において、画像形成動作中にジョブの区切りが発生する前に、前記パンチ処理回数の積算値が、前記所定値に前記上限補正値を加算した値を上回ったとき、前記パンチごみ制御部は、画像形成動作を停止させるとともに、前記パンチごみ捨てを報知することを特徴とする。
【００１８】
請求項９に係る発明の画像形成装置は、請求項１〜８のいずれか１項記載の画像形成装置において、前記パンチ処理回数の積算値に用いるパンチ処理の回数は、パンチの回数に、用紙の厚さなど用紙の種類に応じた係数を乗じて設定されることを特徴とする。
【００１９】
請求項１０に係る発明の画像形成装置は、請求項１〜４のいずれか１項記載の画像形成装置において、前記下限補正値および前記上限補正値は、互いに同等の値または任意に相違する値に設定可能であることを特徴とする。
【００２０】
請求項１１に係る発明の画像形成装置は、請求項１〜１０のいずれか１項記載の画像形成装置において、前記パンチ処理部に設けたパンチごみ収容部内のパンチごみを捨てるよう促すメッセージを表示可能な表示部をさらに備え、前記パンチごみ制御部は、前記メッセージを前記表示部に表示することで前記パンチごみ捨てを報知することを特徴とする。
【発明の効果】
【００２１】
この発明は以上のように、画像形成部と、パンチ処理部とを備えた画像形成装置において、パンチ処理の回数を計数し、この計数したパンチ処理回数の積算値とあらかじめ決められた所定値との関係に基づいて、前記パンチ処理部で処理したパンチごみを捨てるよう報知するパンチごみ制御部を備え、前記パンチごみ制御部は、前記所定値に下限補正値および上限補正値を設定し、画像形成動作が停止または終了したとき、前記パンチ処理回数の積算値が、前記所定値から前記下限補正値を減算した値以上であれば、前記パンチごみ制御部が前記パンチごみ捨てを報知するように構成したので、パンチごみを捨てるよう報知するパンチ処理回数の積算値に幅をもたせることができ、これにより、画像形成動作中に、パンチごみが満タンであることが原因でその画像形成動作が中断されることをできるだけ回避することができる。
【発明を実施するための最良の形態】
【００２２】
この発明の実施の形態を、図面を参照して説明する。
【００２３】
図１は、この発明による画像形成装置の一実施形態を示す概略的構成図であり、この画像形成装置１は、本体１０と、フィニッシャ部５０とで構成される。
【００２４】
本体１０は、内部に設けられた画像形成部２０（具体的図示省略）と、上部に設けられた操作パネル３０（図２参照）とを備え、操作パネル３０は、表示部４０（図３参照）を備えている。
【００２５】
フィニッシャ部５０は、内部に設けられたパンチ処理部６０（具体的図示省略）を備え、パンチ処理部６０は、パンチ処理で発生するパンチごみを収容する図示しないパンチごみ収容部（パンチごみ収容箱）を備えている。
【００２６】
さらに本体１０は、画像形成装置１の各部の動作を制御する制御部７０（具体的図示省略）を備え、また、パンチごみ制御部８０（図４参照）を備えている。パンチごみ制御部８０は、フィニッシャ部５０に設けることも可能である。
【００２７】
画像形成部２０は、例えば、画像読取装置から入力された電子画像データ、または、ホストコンピュータから送信または入力された電子原稿データに基づいて、画像形成（プリント）するものである。
【００２８】
操作パネル３０は、図２に示すように、ユーザが画像形成装置１に種々の指示を行う指示機能を有するものであり、また、画像形成装置１の各部の状態を表示する表示機能を有している。
【００２９】
表示部４０は、図３に示すように、操作パネル３０が画像形成装置１の各部の状態を表示する表示機能のうち、特に、メッセージによる表示・報知に適したものである。
【００３０】
フィニッシャ部５０は、画像形成（プリント）済みの用紙に、後処理としてフィニッシング処理を行うものであり、パンチ処理部６０が行うパンチは、フィニッシング処理に含まれる１つの処理である。
【００３１】
パンチごみ制御部８０は、図４に示すように、パンチ処理部６０から１回パンチをする毎に入力されるパンチの回数をカウントするパンチ計数部８１と、印刷指示部３１から入力される用紙の種類を判定する用紙種類判定部８２とを備えている。
【００３２】
印刷指示部３１は、操作パネル３０を用いてユーザが画像形成装置１に種々の指示を行う指示機能の１つである。印刷指示部３１により指示する項目には、印刷枚数その他通常の指示項目に加えて、印刷用紙の種類、例えば、使用する印刷用紙の厚さが、一般的な用紙（普通紙）か、これより厚い（厚紙）か、薄い（薄紙）か、等が含まれる。
【００３３】
用紙種類判定部８２は、印刷指示部３１から入力される用紙の種類に応じて、パンチの回数に乗じる係数を設定する。例えば、２穴パンチ１回のパンチ回数の場合、普通紙であれば係数２、厚紙であれば係数４、薄紙であれば係数１とする。この係数は、これに限らず、任意に設定することができる。
【００３４】
また、パンチごみ制御部８０は、「パンチごみ満タン」検知のための所定値を設定する所定値設定部８３と、所定値の下限補正値を設定する下限補正値設定部８４と、所定値の上限補正値を設定する上限補正値設定部８５とを備えている。
【００３５】
所定値設定部８３は、パンチ計数部８１がカウントしたパンチの回数に、用紙種類判定部８２で判定した用紙の種類に応じた係数を乗じて得られるパンチ処理回数（パンチ処理回数＝パンチの回数×係数）の積算値を設定するものであり、パンチ処理部６０に設けたパンチごみ収容部（パンチごみ収容箱）の最大収容量よりも充分小さい値に設定される。
【００３６】
パンチ処理回数（パンチ処理回数＝パンチの回数×係数）は、単なるパンチの回数ではなく、用紙の厚さに応じた係数を乗じてあるため、実際に出るパンチごみの量との相関が良い。そのため、パンチ処理回数にいう「パンチ処理」は、「パンチごみ」と実質的に同義であり、このパンチごみを用いて、パンチごみ回数、パンチごみ積算回数など、表現することができる。
【００３７】
パンチ処理部６０に設けたパンチごみ収容部の最大収容量が、用紙の枚数に換算して、仮に１１００＋α（例えば１２００）枚であるとすると、所定値設定部８３は、所定値として例えば１０００枚を設定する。
【００３８】
この場合、下限補正値設定部８４は、下限補正値として例えば１００枚を設定する。また、上限補正値設定部８５は、上限補正値として例えば１００枚を設定する。下限補正値と上限補正値とは、このように同等の値（すなわちいずれも１００枚）に設定してもよいし、互いに異なる任意の値に設定することもできる。
【００３９】
また、パンチごみ制御部８０は、パンチごみ積算部８６と、パンチごみ計数部８７とを備えている。
【００４０】
パンチごみ積算部８６は、パンチごみ計数部８７が計数したパンチごみ回数の積算量、すなわち、パンチ計数部８１がカウントしたパンチの回数に、用紙種類判定部８２で判定した用紙の種類に応じた係数を乗じて得られるパンチごみ回数（パンチごみ回数＝パンチの回数×係数）の積算量を保持するものである。
【００４１】
パンチごみ計数部８７は、パンチごみ積算部８６に保持されたパンチごみ回数の積算量（パンチごみ積算回数）と、所定値設定部８３に設定された所定値、下限補正値設定部８４に設定された下限補正値、および上限補正値設定部８５に設定された上限補正値とを比較して、表示部４０に「パンチごみ満タン」表示をするものである。
【００４２】
次に、図５のフローチャートを参照して、パンチジョブ印刷処理におけるパンチごみ制御部８０の動作について説明する。
【００４３】
図５に示すように、まず、画像形成（印刷）動作終了か否か、または、画像形成（印刷）動作一時停止か否かを判定する（ステップＳ１１）。
【００４４】
画像形成（印刷）動作終了、または、画像形成（印刷）動作一時停止の場合（ステップＳ１１のＹＥＳ）は、パンチごみ積算回数が、所定値から下限補正値を減算した値以上であるか否かを判定する（ステップＳ１２）。
【００４５】
パンチごみ積算回数が、所定値から下限補正値を減算した値以上である場合（ステップＳ１２のＹＥＳ）は、パンチ処理部６０に設けたパンチごみ収容部内のパンチごみを捨てるよう促すメッセージを表示部４０に表示する（ステップＳ１８）。
【００４６】
例えば、所定値が１０００枚、下限補正値が１００枚であるとすると、パンチごみ積算回数が９００（１０００−１００）枚以上であれば、表示部４０に、例えばつぎのようなメッセージが表示される。
【００４７】
すなわち、このメッセージは、図３に示すように、「パンチダストボックスマンタン、パンチダストボックスノゴミヲステテクダサイ」（パンチごみ箱満タン、パンチごみ箱のごみを捨ててください）のような文字列で表示される。これ以外の適宜の文字列で表示してもよいし、音声で報知することもできる。そして、その後終了する。
【００４８】
一方、パンチごみ積算回数が、所定値から下限補正値を減算した値を下回っている場合（ステップＳ１２のＮＯ）は、そのまま終了する。
【００４９】
また、ステップＳ１１で、画像形成（印刷）動作終了、または、画像形成（印刷）動作一時停止ではない場合、すなわち画像形成（印刷）動作中（ステップＳ１１のＮＯ）は、パンチ処理毎にパンチごみ積算回数をカウントアップする（ステップＳ１３）。
【００５０】
つぎに、パンチごみ積算回数が、所定値に上限補正値を加算した値を上回っているか否かを判定する（ステップＳ１４）。
【００５１】
パンチごみ積算回数が、所定値に上限補正値を加算した値を上回っていない場合（ステップＳ１４のＮＯ）は、ジョブの区切りであるか否かを判定し（ステップＳ１５）、ジョブの区切りでない場合（ステップＳ１５のＮＯ）は、ステップＳ１１に戻る。
【００５２】
つまり、画像形成（印刷）動作中（ステップＳ１１のＮＯ）は、ジョブの区切りが発生しない限り（ステップＳ１５のＮＯ）、パンチごみ積算回数が所定値に達しても、所定値に上限補正値を加算した値を上回るまで、画像形成動作を停止させない。
【００５３】
また、ジョブの区切りが発生した場合（ステップＳ１５のＹＥＳ）は、つぎに、パンチごみ積算回数が、所定値から下限補正値を減算した値と、所定値に上限補正値を加算した値との間にあるか否かを判定する（ステップＳ１６）。
【００５４】
パンチごみ積算回数が、所定値から下限補正値を減算した値と、所定値に上限補正値を加算した値との間にない場合、すなわち、所定値から下限補正値を減算した値を下回っている場合（ステップＳ１６のＮＯ）は、ステップＳ１１に戻る。
【００５５】
一方、パンチごみ積算回数が、所定値から下限補正値を減算した値と、所定値に上限補正値を加算した値との間にある場合、すなわち、所定値から下限補正値を減算した値以上である場合（ステップＳ１６のＹＥＳ）は、画像形成（印刷）動作を停止させ（ステップＳ１７）、パンチ処理部６０に設けたパンチごみ収容部内のパンチごみを捨てるよう促すメッセージを表示部４０に表示する（ステップＳ１８）。
【００５６】
例えば、所定値が１０００枚、下限補正値が１００枚、上限補正値が１００枚であるとすると、パンチごみ積算回数が９００（１０００−１００）枚〜１１００（１０００＋１００）枚の間にあれば、表示部４０にメッセージが表示される。
【００５７】
この場合のメッセージも、図３に示すように、「パンチダストボックスマンタン、パンチダストボックスノゴミヲステテクダサイ」（パンチごみ箱満タン、パンチごみ箱のごみを捨ててください）のような文字列で表示される。これ以外の適宜の文字列で表示してもよいし、音声で報知することもできる。そして、その後終了する。
【００５８】
また、ステップＳ１４で、パンチごみ積算回数が、所定値に上限補正値を加算した値を上回っている場合（ステップＳ１４のＹＥＳ）は、画像形成（印刷）動作を停止させ（ステップＳ１７）、パンチ処理部６０に設けたパンチごみ収容部内のパンチごみを捨てるよう促すメッセージを表示部４０に表示する（ステップＳ１８）。
【００５９】
例えば、所定値が１０００枚、上限補正値が１００枚であるとすると、パンチごみ積算回数が１１００（１０００＋１００）枚を越えていれば、すなわち１１０１枚以上であれば、表示部４０にメッセージが表示される。
【００６０】
つまり、画像形成（印刷）動作中（ステップＳ１１のＮＯ）で、ジョブの区切りが発生する前（ステップＳ１５のＮＯ）に、パンチごみ積算回数が、所定値に上限補正値を加算した値を上回ったとき（ステップＳ１４のＹＥＳ）、画像形成（印刷）動作を停止させるとともに（ステップＳ１７）、パンチ処理部６０に設けたパンチごみ収容部内のパンチごみを捨てるよう促すメッセージを表示部４０に表示する（ステップＳ１８）。
【００６１】
この場合のメッセージも、図３に示すように、「パンチダストボックスマンタン、パンチダストボックスノゴミヲステテクダサイ」（パンチごみ箱満タン、パンチごみ箱のごみを捨ててください）のような文字列で表示される。これ以外の適宜の文字列で表示してもよいし、音声で報知することもできる。そして、その後終了する。
【００６２】
上記のような画像形成装置１によれば、パンチごみを捨てるよう報知するパンチ処理回数の積算値に幅をもたせることができ、これにより、画像形成動作中に、パンチごみが満タンであることが原因でその画像形成動作が中断されることをできるだけ回避することができる。
【００６３】
例えば、所要枚数の画像形成（印刷）動作中に、紙ジャムその他の消耗品エラーが発生して画像形成（印刷）動作が停止したとき、仮にパンチごみが満タンに近い状態であれば、パンチ処理回数の積算値が所定値に達していなくても、パンチごみを捨てるよう促すメッセージを報知することができる。
【００６４】
そのため、ユーザは、用紙交換その他のエラー復帰作業を行うついでに、パンチごみも捨てたうえで画像形成（印刷）動作を再開することができ、そのため、再開後すぐにパンチごみが満タンになって画像形成（印刷）動作が停止するというような生産性の低下を未然に回避することができる。
【００６５】
また、例えば、所要枚数の画像形成（印刷）動作が終了間際になり、あと少しで終了するというとき、パンチ処理回数の積算値が所定値に達したとしても、その画像形成（印刷）動作を最後まで実行して終了させることができる。
【００６６】
そのため、ユーザは、あと少しで画像形成（印刷）動作が終了するのに、その前にパンチごみを捨てなれけばならないという煩わしさから解放されることができる。
【００６７】
なお、上記の実施形態では、パンチ処理部６０に設けたパンチごみ収容部の最大収容量が、用紙の枚数に換算して、仮に１１００＋α（例えば１２００）枚であるとしたとき、所定値を例えば１０００枚、下限補正値を例えば１００枚、上限補正値を例えば１００枚と設定したが、この発明はこれに限定されない。
【００６８】
下限補正値は、例えば１ジョブ当たりの平均処理枚数としてもよいし、上限補正値も、例えば１ジョブ当たりの平均処理枚数とすることができる。
【００６９】
また、上記の実施形態では、パンチごみ制御部８０が、所定値設定部８３以外に、下限補正値設定部８４および上限補正値設定部８５を備えたものとして構成したが、この発明はこれに限定されない。
【００７０】
例えば、パンチごみ制御部８０が、上限補正値設定部８５を備えず、所定値設定部８３と下限補正値設定部８４を備えたものとして構成することが可能である。この場合のパンチごみ制御部８０の動作は、上記の実施形態における説明中、上限補正値設定部８５に関連する部分を飛ばし、所定値設定部８３および下限補正値設定部８４に関連する部分を読むことで理解される。
【００７１】
また、例えば、パンチごみ制御部８０が、下限補正値設定部８４を備えず、所定値設定部８３と上限補正値設定部８５を備えたものとして構成することが可能である。この場合のパンチごみ制御部８０の動作は、上記の実施形態における説明中、下限補正値設定部８４に関連する部分を飛ばし、所定値設定部８３および上限補正値設定部８５に関連する部分を読むことで理解される。
【図面の簡単な説明】
【００７２】
【図１】この発明による画像形成装置の一実施形態を示す概略的構成図である。
【図２】画像形成装置の操作パネルを示す概略図である。
【図３】操作パネルの表示部を示す拡大図である。
【図４】画像形成装置のパンチごみ制御部を示す概略的ブロック図である。
【図５】画像形成装置のパンチごみ制御部の動作を示すフローチャートである。
【符号の説明】
【００７３】
１  画像形成装置
１０  本体
２０  画像形成部
３０  操作パネル
４０  表示部
５０  フィニッシャ部
６０  パンチ処理部
７０  制御部
８０  パンチごみ制御部
８１  パンチ計数部
８２  用紙種類判定部
８３  所定値設定部
８４  下限補正値設定部
８５  上限補正値設定部
８６  パンチごみ積算部
８７  パンチごみ計数部
【図１】
2009292587.tif 000003
【図２】
2009292587.tif 000004
【図３】
2009292587.tif 000005
【図４】
2009292587.tif 000006
【図５】
2009292587.tif 000007